(57)【特許請求の範囲】
【請求項１】
ケーブルが敷設された管路内に更にケーブルを引き込むための線材を挿通させる管内通線工法であって、パラシュート状に形成された牽引部材と、該牽引部材の下面側に配設され、変形自在で復元性を有する材質製の稍扁平状の曲面体に形成された牽引案内部材と、前記牽引部材及び牽引案内部材に設けられた牽引紐を集束した集束部とにより牽引具を構成し、前記牽引紐の集束部に線材を連結した牽引具をケーブル敷設管の管路内に挿入して吸引または圧送することにより、ケーブル敷設管の管路内に線材を挿通させることを特徴とするケーブル敷設管における管内通線工法。
【請求項２】
前記稍扁平状の曲面体に形成された牽引案内部材は、網状に形成されたネットにより被覆されていることを特徴とする請求項１に記載のケーブル敷設管における管内通線工法。
【請求項３】
前記パラシュート状に形成された牽引部材は、前記牽引案内部材に対して後方側に偏倚していることを特徴とする請求項１に記載のケーブル敷設管における管内通線工法。
【発明の詳細な説明】
【０００１】
【発明の属する技術分野】
本発明はケーブル敷設管における管内通線工法に関し、詳しくは、ケーブル敷設管の管路内に更にケーブルを引込むための線材を挿通させる牽引具の牽引力を増大することと、敷設ケーブル側に対する牽引具の吸着を防止することとの両立を図ることにより、ケーブル敷設管の管路内に線材を迅速に挿通させる管内通線工法に関する。
【０００２】
【従来の技術】
近年、都市の美観の向上を図るために、地上に配線されている電話線等のケーブルの地下に埋設された管内への移行が推進されており、ケーブルを管路内へ挿通する手法として、種々の工法が提案されているが、その代表的な工法は、地下に埋設されている管路内に予め線材を挿通し、管路内に挿通された線材にケーブルを連結して線材を牽引することにより、管路内にケーブルを敷設させるものであり、既にケーブルが敷設されているケーブル敷設管の管路内に更にケーブルを敷設する場合においても、同様の工法が普通に行われている。
【０００３】
上記した従来のケーブル敷設管の管路内に更にケーブルを敷設させる予備工法としての、ケーブル敷設管の管路内に予め線材を挿通させる管内通線工法について、図３を参照して説明すると、パラシュート状の牽引部材ｂに設けられた牽引紐ｃを集束して牽引具ａを構成し、牽引紐ｃの集束部ｄに線材ｅを連結した牽引具ａをケーブルｆが敷設されたケーブル敷設管ｇの管路内に挿入し、吸引装置または送風装置により牽引具ａを吸引または圧送することによって、ケーブル敷設管ｇの管路内に線材ｅを挿通させるものである。
【０００４】
【発明が解決しようとする課題】
しかしながら、上記したケーブル敷設管の管路内に予め線材を挿通させる従来の管内通線工法においては、パラシュート状の牽引部材ｂに設けられた牽引紐ｃを集束して牽引具ａを構成するものであるから、牽引紐ｃの集束部ｄに線材ｅを連結した牽引具ａをケーブル敷設管ｇの管路内に挿入して、吸引装置または送風装置により牽引具ａを吸引または圧送すると、パラシュート状の牽引部材ｂは、ケーブル敷設管ｇの管路内における上方の広域空間を流れる気流ｈを受風することにより移動するものの、管路内における牽引部材ｂの下方のケーブルｆが敷設された挟域空間を流れる気流ｈ’による負圧ベンチュリー効果、すなわち、ケーブルｆ側への吸引作用を受け、パラシュート状の牽引部材ｂはケーブルｆに対する摩擦が増大して牽引力の低減を招くばかりでなく、ケーブルｆの蛇行によりケーブルｆ側への吸引作用が更に増大した場合には、図４に示すように、パラシュート状の牽引部材ｂはケーブルｆ側に吸着されて牽引機能を喪失するという問題があった。
【０００５】
上述した管路内における牽引部材ｂの下方のケーブルｆが敷設された挟域空間を流れる気流ｈ’による負圧ベンチュリー効果によって、パラシュート状の牽引部材ｂがケーブルｆ側へ吸着される事態を回避するために、牽引部材を吸着されにくい材質として、例えばスポンジにより構成することも考えられるが、牽引部材をスポンジのみにより構成した場合には、牽引部材がケーブルｆ側へ吸着される事態を回避することができるものの、スポンジのみにより構成した牽引部材は、ケーブル敷設管ｇの管路内における上方の広域空間の断面形状に形成することが困難であると共に、ケーブルｆの蛇行により変形する上記広域空間の断面形状に追従し難く、しかも、パラシュート状の牽引部材ｂに比し上記広域空間における管路内壁との密接性が緩慢なため、スポンジのみにより構成した牽引部材は、全体として風圧効果が低減して牽引力が低下するという問題が招来する。
【０００６】
本発明は、これらの問題を解決すべく発明されたものであり、ケーブル敷設管の管路内に更にケーブルを引込むための線材を挿通させる牽引具の牽引力を増大することと、敷設ケーブル側に対する牽引具の吸着を防止することとの両立を図ることにより、ケーブル敷設管の管路内に線材を迅速に挿通させる管内通線工法を提供することを目的とする。
【０００７】
【課題を解決するための手段】
上記目的を達成するために、請求項１に係る発明は、ケーブルが敷設された管路内に更にケーブルを引き込むための線材を挿通させる管内通線工法であって、パラシュート状に形成された牽引部材と、該牽引部材の下面側に配設され、変形自在で復元性を有する材質製の稍扁平状の曲面体に形成された牽引案内部材と、前記牽引部材及び牽引案内部材に設けられた牽引紐を集束した集束部とにより牽引具を構成し、前記牽引紐の集束部に線材を連結した牽引具をケーブル敷設管の管路内に挿入して吸引または圧送することにより、ケーブル敷設管の管路内に線材を挿通させるものである。
【０００８】
請求項１に係る発明によれば、牽引具は、パラシュート状に形成された牽引部材と、該牽引部材の下面側に配設され、変形自在で復元性を有する材質製の稍扁平状の曲面体に形成された牽引案内部材と、前記牽引部材及び牽引案内部材に設けられた牽引紐を集束した集束部とにより構成されているものであるから、牽引紐の集束部に線材を連結した牽引具をケーブル敷設管の管路内に挿入して、吸引装置または送風装置により牽引具を吸引または圧送すると、牽引具は、ケーブル敷設管の管路内における上方の広域空間を流れる気流を受風して移動することにより、ケーブル敷設管の管路内に線材を挿通させることができる。
【０００９】
特に、牽引具がケーブル敷設管の管路内における上方の広域空間を流れる気流を受風して移動する際には、牽引具におけるパラシュート状に形成された牽引部材は、上記広域空間を流れる気流による風圧効果により広域空間の管路内壁側に馴染み易く、上記広域空間における管路内壁との密接性が良いため、風圧効果による牽引具の牽引力を増大することができる。
【００１０】
同時に、牽引具における牽引案内部材は、牽引具の下方側のケーブルが敷設された挟域空間を流れる気流による負圧ベンチュリー効果、すなわち、ケーブル側への吸引作用を受けるのであるが、牽引案内部材は、変形自在で復元性を有する材質製の稍扁平状の曲面体に形成されているものであるから、上記広域空間を流れる気流による風圧効果によっては広域空間のケーブル側に馴染み難く、上記広域空間におけるケーブルとの密接性が緩慢なため、上記負圧ベンチュリー効果による牽引具のケーブル側への吸着を防止することができ、しかも、牽引案内部材が負圧ベンチュリー効果による影響を受け難い分だけ、風圧効果による牽引具の牽引力を増大することができる。
【００１１】
請求項２に係る発明は、請求項１に記載の発明において、稍扁平状の曲面体に形成された牽引案内部材は、網状に形成されたネットにより被覆されているものである。
【００１２】
請求項２に係る発明によれば、曲面体に形成された牽引案内部材は、網状に形成されたネットにより被覆されているから、曲面体からなる牽引案内部材の表面は網状に形成されたネットにより凹凸状を呈し、ケーブル敷設管の管路内における上方の広域空間を流れる気流による風圧効果によっては広域空間のケーブル側に更に馴染み難く、上記広域空間におけるケーブルとの密接性がより緩慢となるため、上記負圧ベンチュリー効果による牽引具のケーブル側への吸着を未然に防止することができる。
【００１３】
請求項３に係る発明は、請求項１に記載の発明において、パラシュート状に形成された牽引部材は、前記牽引案内部材に対して後方側に偏倚しているものである。
【００１４】
請求項３に係る発明によれば、パラシュート状に形成された牽引部材は、前記牽引案内部材に対して後方側に偏倚しているから、前記広域空間を流れる気流による風圧効果によって移動する牽引具が、ケーブルの蛇行による挟域部を通過する際に、先行する牽引案内部材が挟域部で停滞したとしても、パラシュート状の牽引部材は、気流による風圧効果を維持することができるため、牽引案内部材を後押しする形態をとり、牽引案内部材の挟域部の通過に際して牽引案内部材の移動を助勢することができる。
【００１５】
【発明の実施の形態】
本発明をその実施の形態について図面に示した一実施例を参照して説明する。図１は、本発明のケーブル敷設管における管内通線工法の部分縦断側面図であり、図２は、図１におけるＡ−Ａ線の縦断背面図である。
先ず、本発明のケーブル敷設管における管内通線工法に使用される牽引具の構成について、図２を参照しながら図１に基づいて説明すると、牽引具１の主なる構成は、パラシュート状に形成された牽引部材２と、牽引部材２の下面側に配設され、変形自在で復元性を有する稍扁平状の曲面体に形成された牽引案内部材３と、牽引部材２及び牽引案内部材３に設けられた牽引紐４を集束した集束部５とからなり、この牽引具１を使用して行われるケーブル敷設管７における管内通線工法は、牽引紐４の集束部５に線材６を連結した牽引具１をケーブル敷設管７の管路内に挿入して、図示しない吸引装置または送風装置により牽引具１を吸引または圧送し、牽引具１がケーブル敷設管７の管路内における上方の広域空間を流れる気流９を受風して移動することにより、ケーブル敷設管７の管路内に線材６を挿通させるものである。
【００１６】
次に、牽引具１の具体的な構成を更に詳述すると共に、合わせてケーブル敷設管７における管内通線工法の実施の形態を説明する。
パラシュート状に形成された牽引部材２は、柔軟性の受風効果を有するものであれば、各種のプラスチックまたはゴム製のフィルムまたはシートからなるもの、または各種繊維を編成してなる布であってもよく、また、牽引紐４を集束した集束部５には、図示は省略しているが、ケーブルを引き込むための線材６を連結する連結環を設けてもよく、連結環を設けない場合には、線材６を直接に集束部５に連結してもよい。
【００１７】
稍扁平状の曲面体に形成された牽引案内部材３は、変形自在で復元性を有するものであれば如何なる材質のものでよいが、好適なものとして各種のプラスチックまたはゴム製のスポンジが挙げられ、しかも、通気性を有するものが好ましく、更には、牽引案内部材３が網状に形成されたネット３１により被覆されているものが好ましい。この牽引案内部材３が通気性を有するものであり、また、網状に形成されたネット３１により被覆されているものが好ましい理由は、牽引具１の下方側のケーブル８が敷設された挟域空間を流れる気流９’により、牽引具１は負圧ベンチュリー効果、すなわち、ケーブル８側への吸引作用を受けるのであるが、牽引案内部材３を通過する通気により、また、ネット３１による牽引案内部材３とケーブル８との隙間を通過する通気により、上記負圧ベンチュリー効果よるケーブル８側への吸引作用が低減されて、牽引具１のケーブル８側への吸着を防止できるということにある。
【００１８】
また、パラシュート状に形成された牽引部材２は、牽引案内部材３に対して後方側に偏倚していることが好ましく、これにより、ケーブル敷設管７の管路内における上方の広域空間を流れる気流９による風圧効果によって移動する牽引具１が、ケーブル８の蛇行による挟域部を通過する際に、先行する牽引案内部材３が挟域部で停滞したとしても、パラシュート状に形成された牽引部材２は、気流９による風圧効果を維持することができるため、牽引案内部材３を後押しする形態をとり、牽引案内部材３の挟域部の通過に際して牽引案内部材３の移動を助勢することができる。
【００１９】
また、牽引案内部材３は、牽引部材２の下面側に配設されて牽引具１としての本来の機能を発揮するものであり、したがって、牽引案内部材３は牽引部材２の下面側に接着あるいは縫着等により定着されているのが好ましいが、必ずしも牽引案内部材３は牽引部材２に対して定着されていなくてもよいものである。その理由は、牽引紐４の集束部５に線材６を連結した牽引具１をケーブル敷設管７の管路内に挿入する際に、牽引案内部材３を牽引部材２の下面側に配置しておけば、管路内における吸引または圧送による風圧効果が、パラシュート状に形成された牽引部材２の風圧効果は大きく、稍扁平状の曲面体に形成された牽引案内部材３の風圧効果は小さいため、各風圧効果により牽引部材２は上側に牽引案内部材３は下側にそれぞれ指向されて、自ずと牽引案内部材３は牽引部材２の下面側に配向されるからである。
【００２０】
【発明の効果】
以上説明したように本発明によると、牽引具がケーブル敷設管の管路内における上方の広域空間を流れる気流を受風して移動する際に、牽引具におけるパラシュート状に形成された牽引部材は、上記広域空間を流れる気流による風圧効果により広域空間の管路内壁側に馴染み易く、上記広域空間における管路内壁との密接性が良いため、風圧効果による牽引具の牽引力を増大することができる。
【００２１】
同時に、牽引具における牽引案内部材は、牽引具の下方側のケーブルが敷設された挟域空間を流れる気流による負圧ベンチュリー効果、すなわち、ケーブル側への吸引作用を受けるのであるが、牽引案内部材は、変形自在で復元性を有する材質製の稍扁平状の曲面体に形成されているものであるから、上記広域空間を流れる気流による風圧効果によっては広域空間のケーブル側に馴染み難く、上記広域空間におけるケーブルとの密接性が緩慢なため、上記負圧ベンチュリー効果による牽引具のケーブル側への吸着を防止することができ、しかも、牽引案内部材が負圧ベンチュリー効果による影響を受け難い分だけ、風圧効果による牽引具の牽引力を増大することができる。
【００２２】
従って、ケーブル敷設管の管路内に更にケーブルを引込むための線材を挿通させる牽引具の牽引力を増大することと、敷設ケーブル側に対する牽引具の吸着を防止することとの両立を図ることにより、ケーブル敷設管の管路内に線材を迅速に挿通させることができる。
【図面の簡単な説明】
【図１】本発明のケーブル敷設管における管内通線工法の部分縦断側面図である。
【図２】図１におけるＡ−Ａ線の縦断背面図である。
【図３】従来のケーブル敷設管における管内通線工法の通線状態を示す説明図で、（イ）はその部分縦断側面図であり、（ロ）はその縦断背面図である。
【図４】従来のケーブル敷設管における管内通線工法の通線不能状態を示す説明図で、（イ）はその部分縦断側面図であり、（ロ）はその縦断背面図である。
【符号の説明】
１    牽引具
２    牽引部材
３    牽引案内部材
３１  ネット
４    牽引紐
５    集束部
６    線材
７    ケーブル敷設管
８    ケーブル
【図１】
0003994124.tif 000002
【図２】
0003994124.tif 000003
【図３】
0003994124.tif 000004
【図４】
0003994124.tif 000005